(57)【特許請求の範囲】
【請求項１】
1枚の厚紙によって構成され、同一幅の第１側板〜第６側板１１〜１６を第１山折り線〜第５山折り線１７ａ〜１７ｅで折曲して形成された六角筒形状で、下部に底部１８を形成し、上部に蓋部１９を形成した箱主体１０と、
前記箱主体１０の底部１８側に前記第１側板〜第６側板１１〜１６と山折り線２０ａ〜２０ｆを介して一体に連設された第１底部片〜第６底部片２１〜２６とを備え、
前記第1底部片２１と第４底部片２４は同一形状であり、前記第１側板１１及び第４側板１４と同一幅の略矩形状の底板主体２１ａ，２４ａの先端部における片側に前記山折り線２０ａ、２０ｄと平行の谷折り線２１ｂ，２４ｂを介して第１と第２糊付け片２１ｃ、２４ｃを設け、
前記第２底部片２２と第５底部片２５は同一形状であり、前記山折り線２０ｂ、２０ｅを底辺とする略直角三角形状の底板主体２２ａ，２５ａの斜辺の前記山折り線２０ｂ、２０ｅ側に谷折り線２２ｂ，２５ｂを介して第３と第４糊付け片２２ｃ、２５ｃを設けると共に、前記斜辺の残りの一部に係合片２２ｄ，２５ｄを設け、
前記第３底部片２３と第６底部片２６は、前記山折り線２０ｃ、２０ｆを底辺とする略台形状であり、
前記第３糊付け片２２ｃをこれと隣り合う前記第３底部片２３に糊付けして第２底部片２２と第３底部片２３を結合すると共に、前記第４糊付け片２５ｃをこれと隣り合う第６底部片２６に糊付けして第５底部片２５と第６底部片２６を結合し、
前記第１底部片２１の第１糊付け片２１ｃを前記第４底部片２４の底板主体２４ａに、前記第４底部片２４の第２糊付け片２４ｃを前記第１底部片２１の底板主体２１ａにそれぞれ糊付けして前記第１底部片２１と第４底部片２４とを結合し、
さらに、前記第１側板１１と第６側板１６とを山折り線２７を介して結合して六角筒形状の箱主体１０を形成すると共に、前記第１と第４底部片２１，２４の底板主体２１ａ，２４ａの内側に、結合された前記第２底部片２２と第３底部片２３及び結合された前記第５底部片２５と第６底部片２６を重ね、前記係合片２２ｄと２５ｄとを互いに係合して第１〜第６底部片２１〜２６によって箱主体１０の底部１８を形成し、
前記山折り線２０ａ〜２０ｆを山折りして第１底部片〜第６底部片２１〜２６を前記箱主体１０の内側に折り込み、さらに前記第２山折り線１７ｂ及び第５山折り線１７ｅを山折りして前記箱主体１０を扁平状に折り畳み可能とすることを特徴とする包装用紙箱。
【請求項２】
扁平状に折り畳まれた前記箱主体１０は、前記第２山折り線１７ｂと第５山折り線１７ｅを、その外側から内側に押圧することにより、六角筒形状に復元すると共に、前記第１〜第６底部片２１〜２６が前記第１側板〜第６側板１１〜１６に対して起上して前記箱主体１０の底部１８が形成されることを特徴とする請求項１記載の包装用紙箱。
【請求項３】
前記箱主体１０の蓋部１９は、第２及び第５側板１２，１５と上部山折り線２８ａ、２８ｂを介して第１及び第２の蓋板片２９ａ，２９ｂを設け、これら第１及び第２の蓋板片２９ａ，２９ｂは、六角筒形状の前記箱主体１０の開口を半分ずつ分担して閉塞できる幅を有し、かつ前記上部山折り線２８ａ、２８ｂに対して６０°の傾斜角で同方向に傾斜しており、さらに前記第１及び第２の蓋板片２９ａ，２９ｂの先端部には該第１及び第２の蓋板片２９ａ，２９ｂの傾斜方向と逆方向に６０°の傾斜角の山折り線３０ａ、３０ｂを介して差込片３１ａ，３１ｂを設けたことを特徴とする請求項１記載の包装用紙箱。
【請求項４】
前記箱主体１０の蓋部１９側には、少なくとも第２側板１２及び第５側板１５に手掛け孔３２ａ，３２ｂを設け、第１〜第３側板１１〜１３もしくは第４〜第６側板１４〜１６には二重山折り線３３を介して第１折込片３４を設け、この第１折込片３４の先端部には前記手掛け孔３２ａ，３２ｂを貫通して折込可能な第２折込片３５を設け、前記箱主体１０に手提げ部３６を形成したことを特徴とする請求項１記載の包装用紙箱。
【発明の詳細な説明】
【技術分野】
【０００１】
本発明は、例えば、焼酎、清酒等の瓶１本ずつ包装する包装用紙箱に関する。
【背景技術】
【０００２】
焼酎、清酒等の瓶は、７２０ｍｌ，９００ｍｌ，１８００ｍｌ等が一般的であり、店頭で販売する際には、顧客が瓶を手に取ってラベルに表示された内容物の情報等を確認できるように未包装の瓶のまま陳列されている場合が多い。焼酎、清酒等を顧客が贈答用等として購入する場合、店員に紙箱包装を希望することを告げると、店員が店舗に用意されている包装用紙箱を取り出し、瓶を包装用紙箱に収納して顧客に手渡ししている。
【０００３】
焼酎、清酒等の瓶を包装する包装用紙箱は、瓶を立てに１本ずつ収納できるように、上部に蓋部を有する縦長の直方体形状が一般的であるが、包装用紙箱は、店舗で保管する際に嵩張らないように扁平状に折り畳まれる折り畳み式である。しかも、包装用紙箱は必要に応じてワンタッチで組立てられると共に、組立て後は、糊や粘着テープを用いることなく立体的箱形状に保てるように構成されている。
【０００４】
図１１は従来の底組込み式包装用紙箱の展開図、図１２は組立て状態の底部を示し、（ａ）は内底面図、（ｂ）は外底面図である。図１１及び図１２に示すように、厚紙にコーティングを施したコートボール、段ボール等によって形成された六角筒形状の箱主体５０は、同一幅、同一長さの長方形状の第１側板〜第６側板５１〜５６が第１山折り線〜第５山折り線５７ａ〜５７ｅを介して連設されている。さらに、第１側板５１には山折り線５８を介して糊代片５９が連設されている。
【０００５】
箱主体５０の底部６０側には第１側板〜第６側板５１〜５６と山折り線５１ａ〜５１ｆを介して第１底部片〜第６底部片６１〜６６が連設されている。第1底部片６１〜第６底部片６６は同一形状であり、山折り線５１ａ〜５１ｆを底辺とする略直角三角形状に形成されている。
【０００６】
前記箱主体５０は、第１山折り線〜第５山折り線５７ａ〜５７ｅ及び山折り線５８を山折りし、第６側板５６を糊代片５９に糊付けすることにより六角筒形状に形成される。また、第１側板〜第６側板５１〜５６に対して山折り線５１ａ〜５１ｆから山折りして第１底部片〜第６底部片６１〜６６を箱主体５０の内部に折り込み、第１底部片６１の先端部の上に対して第２底部片６２を重ね、さらに第２底部片６２の先端部の上に対して第３底部片６３を重ねる要領で順次重ね、最終的に第６底部片６６の先端部を第１底部片６１の下（内側）に重ねることにより、底部６０が形成されている。
【０００７】
前述のように構成された箱主体５０は、不使用時には扁平状に折り畳み可能であるが、第１底部片〜第６底部片６１〜６６を山折り線５１ａ〜５１ｆから山折りせずに箱主体５０の底部６０から外方に突出させた状態にすることにより、扁平状に折り畳みできる。
【０００８】
さらに、焼酎、清酒等の瓶１本ずつ包装することが可能で、しかもワンタッチで組立て折り畳みが可能な六角筒形状の包装用紙箱が知られている（例えば、特許文献１参照。）。
【特許文献１】実用新案登録第３１１０５２３号公報
【発明の開示】
【発明が解決しようとする課題】
【０００９】
しかし、図１１及び図１２に示す包装用紙箱は、箱主体５０の底部６０を構成する第１底部片〜第６底部片６１〜６６が、その先端部のみが重なる構造であり、強度的に弱く、例えば焼酎、清酒等の瓶１本ずつ包装するには不向きである。また、箱主体５０の組立て時には第１底部片〜第６底部片６１〜６６を山折り線５１ａ〜５１ｆから山折りして箱主体５０の内部に折り込む面倒な操作が必要となる。
また、前記特許文献１は、箱主体の六角筒形状の底部開口を第１の底面片と第２の底面片の２枚の底面片で閉塞し、第１の底面片と第２の底面片の噛合部が互いに噛み合うようにした構造である。従って、繰り返し使用して噛合部の噛み合いが弱くなると底部が抜ける虞があり、例えば焼酎、清酒等の瓶１本ずつ包装するには不向きである。
本発明は、前記事情に着目してなされたもので、その目的とするところは、第１底部片と第４底部片とを結合した構造であり、繰り返し使用しても耐久性があり、また、組立て、折り畳みがワンタッチで行え、例えば焼酎、清酒等の瓶１本ずつ包装する場合に好適な包装用紙箱を提供することにある。
【課題を解決するための手段】
【００１０】
本発明は、前記目的を達成するために、請求項１は、1枚の厚紙によって構成され、同一幅の第１側板〜第６側板１１〜１６を第１山折り線〜第５山折り線１７ａ〜１７ｅで折曲して形成された六角筒形状で、下部に底部１８を形成し、上部に蓋部１９を形成した箱主体１０と、前記箱主体１０の底部１８側に前記第１側板〜第６側板１１〜１６と山折り線２０ａ〜２０ｆを介して一体に連設された第１底部片〜第６底部片２１〜２６とを備え、前記第1底部片２１と第４底部片２４は同一形状であり、前記第１側板１１及び第４側板１４と同一幅の略矩形状の底板主体２１ａ，２４ａの先端部における片側に前記山折り線２０ａ、２０ｄと平行の谷折り線２１ｂ，２４ｂを介して第１と第２糊付け片２１ｃ、２４ｃを設け、前記第２底部片２２と第５底部片２５は同一形状であり、
前記山折り線２０ｂ、２０ｅを底辺とする略直角三角形状の底板主体２２ａ，２５ａの斜辺の前記山折り線２０ｂ、２０ｅ側に谷折り線２２ｂ，２５ｂを介して第３と第４糊付け片２２ｃ、２５ｃを設けると共に、前記斜辺の残りの一部に係合片２２ｄ，２５ｄを設け、前記第３底部片２３と第６底部片２６は、前記山折り線２０ｃ、２０ｆを底辺とする略台形状であり、前記第３糊付け片２２ｃをこれと隣り合う前記第３底部片２３に糊付けして第２底部片２２と第３底部片２３を結合すると共に、前記第４糊付け片２５ｃをこれと隣り合う第６底部片２６に糊付けして第５底部片２５と第６底部片２６を結合し、前記第１底部片２１の第１糊付け片２１ｃを前記第４底部片２４の底板主体２４ａに、前記第４底部片２４の第２糊付け片２４ｃを前記第１底部片２１の底板主体２１ａにそれぞれ糊付けして前記第１底部片２１と第４底部片２４とを結合し、
さらに、前記第１側板１１と第６側板１６とを山折り線２７を介して結合して六角筒形状の箱主体１０を形成すると共に、前記第１と第４底部片２１，２４の底板主体２１ａ，２４ａの内側に、結合された前記第２底部片２２と第３底部片２３及び結合された前記第５底部片２５と第６底部片２６を重ね、前記係合片２２ｄと２５ｄとを互いに係合して第１〜第６底部片２１〜２６によって箱主体１０の底部１８を形成し、前記山折り線２０ａ〜２０ｆを山折りして第１底部片〜第６底部片２１〜２６を前記箱主体１０の内側に折り込み、さらに前記第２山折り線１７ｂ及び第５山折り線１７ｅを山折りして前記箱主体１０を扁平状に折り畳み可能とすることを特徴とする包装用紙箱にある。
【００１１】
請求項２は、請求項１の扁平状に折り畳まれた前記箱主体１０は、前記第２山折り線１７ｂと第５山折り線１７ｅを、その外側から内側に押圧することにより、六角筒形状に復元すると共に、前記第１〜第６底部片２１〜２６が前記第１側板〜第６側板１１〜１６に対して起上して前記箱主体１０の底部１８が形成されることを特徴とする。
【００１２】
請求項３は、請求項１の前記箱主体１０の蓋部１９は、第２及び第５側板１２，１５と上部山折り線２８ａ、２８ｂを介して第１及び第２の蓋板片２９ａ，２９ｂを設け、これら第１及び第２の蓋板片２９ａ，２９ｂは、六角筒形状の前記箱主体１０の開口を半分ずつ分担して閉塞できる幅を有し、かつ前記上部山折り線２８ａ、２８ｂに対して６０°の傾斜角で同方向に傾斜しており、さらに前記第１及び第２の蓋板片２９ａ，２９ｂの先端部には該第１及び第２の蓋板片２９ａ，２９ｂの傾斜方向と逆方向に６０°の傾斜角の山折り線３０ａ、３０ｂを介して差込片３１ａ，３１ｂを設けたことを特徴とする。
【００１３】
請求項４は、請求項１の前記箱主体１０の蓋部１９側には、少なくとも第２側板１２及び第５側板１５に手掛け孔３２ａ，３２ｂを設け、第１〜第３側板１１〜１３もしくは第４〜第６側板１４〜１６には二重山折り線３３を介して第１折込片３４を設け、この第１折込片３４の先端部には前記手掛け孔３２ａ，３２ｂを貫通して折込可能な第２折込片３５を設け、前記箱主体１０に手提げ部３６を形成したことを特徴とする。
【発明の効果】
【００１４】
本発明によれば、第１底部片と第４底部片とを結合した構造であり、繰り返し使用しても耐久性があり、また、組立て、折り畳みがワンタッチで行え、例えば焼酎、清酒等の瓶１本ずつ包装する場合に好適な包装用紙箱を提供できるという効果がある。
【発明を実施するための最良の形態】
【００１５】
以下、本発明の各実施の形態を図面に基づいて説明する。
【００１６】
図１〜図４は第１の実施形態を示し、図１は包装用紙箱の展開図、図２は包装用紙箱の組立て状態の斜視図、図３は底部を示し、（ａ）は組立て過程の斜視図、（ｂ）は組立て状態の外底部を示す平面図、図４は組立て状態の蓋部の平面図である。
【００１７】
図１及び図２に示すように、厚紙にコーティングを施したコートボール、段ボール等の厚紙によって形成された六角筒形状の箱主体１０の一端部側には後述する底部１８が、他端部側には蓋部１９が設けられている。箱主体１０は、正六角筒形状を形成するように同一幅の第１側板〜第６側板１１〜１６が第１山折り線〜第５山折り線１７ａ〜１７ｅを介して連設されている。
【００１８】
箱主体１０の底部１８側には第１側板〜第６側板１１〜１６と山折り線２０ａ〜２０ｆを介して第１底部片〜第６底部片２１〜２６が連設されている。第1底部片２１と第４底部片２４は同一形状であり、第１側板１１及び第４側板１４と同一幅の略矩形状の底板主体２１ａ，２４ａの先端部における片側には山折り線２０ａ、２０ｄと平行の谷折り線２１ｂ，２４ｂを介して第１と第２糊付け片２１ｃ、２４ｃが設けられている。底板主体２１ａ，２４ａの先端部における反対側には第１と第２糊付け片２１ｃ、２４ｃと隣接する補強片２１ｄ，２４ｄが設けられている。
【００１９】
また、第２底部片２２と第５底部片２５も同一形状であり、山折り線２０ｂ、２０ｅを底辺とする略直角三角形状の底板主体２２ａ，２５ａを有し、この斜辺の山折り線２０ｂ、２０ｅ側に偏った位置には谷折り線２２ｂ，２５ｂを介して第３と第４糊付け片２２ｃ、２５ｃが連設されている。第３と第４糊付け片２２ｃ、２５ｃは略三角形状であり、この第３と第４糊付け片２２ｃ、２５ｃより先端側には斜辺より側方に僅かに突出する係合片２２ｄ，２５ｄが設けられている。
【００２０】
第３底部片２３と第６底部片２６は、山折り線２０ｃ、２０ｆを底辺とする略台形状であり、一方の第６底部片２６には後述する糊代片２７ａとの干渉を防止するために斜面の一部に切欠部２６ａが形成されている。
【００２１】
このように構成された箱主体１０の底部１８は、第３糊付け片２２ｃをこれと隣り合う第３底部片２３の外面に糊付けして第２底部片２２と第２底部片２３とが結合されている。同様に第４糊付け片２５ｃをこれと隣り合う第６底部片２６の外面に糊付けして第５底部片２５と第６底部片２６とが結合されている。また、第１底部片２１の第１糊付け片２１ｃは第４底部片２４の底板主体２４ａの外面に、第４底部片２４の第２糊付け片２４ｃは第１底部片２１の底板主体２１ａの外面にそれぞれ糊付けされ、第１底部片２１と第４底部片２４とが結合されている。
【００２２】
さらに、第１側板１１に山折り線２７を介して連設された糊代片２７ａは第６側板１６の内面の糊付け結合されて正六角筒形状の箱主体１０が形成されるが、このとき、山折り線２０ａ〜２０ｆを介して第１底部片〜第６底部片２１〜２６が箱主体１０の内部に折り込まれる。そして、第１と第４底部片２１，２４の底板主体２１ａ，２４ａの内側に、結合された第２底部片２２と第３底部片２３及び結合された第５底部片２５と第６底部片２６が重ねられる。さらに、補強片２１ｄ，２４ｄが互いに反対側の底板主体２１ａ，２４ａの内面に重なって底部１８を補強する。また、係合片２２ｄと２５ｄとが互いに係合して第１〜第６底部片２１〜２６によって箱主体１０の底部１８を形成し、箱主体１０の外部から押圧力が加わっても係合片２２ｄと２５ｄとの係合によって箱主体１０の定型を保つことになる。
さらに、図３（ａ）に示すように、箱主体１０は、山折り線２０ａ〜２０ｆを山折りして第１底部片〜第６底部片２１〜２６を箱主体１０の内側に折り込み、さらに第２山折り線１７ｂ及び第５山折り線１７ｅを山折りして箱主体１０を扁平状に折り畳み可能であり、保管時に嵩張ることはない。
【００２３】
また、扁平状の箱主体１０の山折り線１７ｂと１７ｅを矢印Ｐ方向に押圧すると、残りの山折り線１７ａ，１７ｃ，１７ｄ，２７が徐々に山折りされて箱主体１０が六角筒形状に組立てられる。このとき、底部１８を構成する第１底部片〜第６底部片２１〜２６は第１側板〜第６側板１１〜１６に対して起上し、第１と第４底部片２１，２４の底板主体２１ａ，２４ａの内側に、結合された第２底部片２２と第３底部片２３及び結合された第５底部片２５と第６底部片２６が重ねられる。そして、最終的に、図３（ｂ）に示すように、箱主体１０に底部１８が構成される。従って、扁平状の箱主体１０の山折り線１７ｂと１７ｅを矢印Ｐ方向に押圧するだけでワンタッチで箱主体１０が組立てられる。
また、組立て状態の箱主体１０の第１側板１１と第４側板１４を矢印Ｑ方向に押圧すると、底部１８を構成する第１底部片〜第６底部片２１〜２６が山折り線２０ａ〜２０ｆで山折りされ、図３（ａ）に示すように箱主体１０の内部に折り込まれて六角筒形状の箱主体１０をワンタッチで扁平状に折り畳むことができる。
【００２４】
一方、箱主体１０の前記蓋部１９について説明すると、図１に示すように、第２及び第５側板１２，１５の上端部には上部山折り線２８ａ、２８ｂを介して第１及び第２の蓋板片２９ａ，２９ｂが連設されている。これら第１及び第２の蓋板片２９ａ，２９ｂは、六角筒形状の箱主体１０の開口を半分ずつ分担して閉塞できる幅を有しており、上部山折り線２８ａ、２８ｂに対して傾斜角θ１＝６０°で同方向に傾斜している。
【００２５】
さらに、第１及び第２蓋板片２９ａ，２９ｂの先端部には第１及び第２蓋板片２９ａ，２９ｂの傾斜方向と逆方向に傾斜角θ２＝６０°の山折り線３０ａ、３０ｂを介して差込片３１ａ，３１ｂが設けられている。さらに、第１及び第２蓋板片２９ａ，２９ｂの基端部側における側縁部には傾斜方向と逆方向に突出する突片２９ａ’，２９ｂ’が形成されている。また、第３及び第６側板１３，１６の上端部には上部山折り線２８ｃ、２８ｄを介して第１及び第２補助片２９ｃ，２９ｄが連設されている。
【００２６】
このように構成された箱主体１０の蓋部１９は、組立て状態の箱主体１０に対し、まず上部山折り線２８ｃ、２８ｄから第１及び第２補助片２９ｃ，２９ｄを略直角に山折りする。次に、第１補助片２９ｃの上面に重ねるように、第１蓋板片２９ａを上部山折り線２８ａから山折りし、第２補助片２９ｄの上面に重ねるように、第２蓋板片２９ｂを上部山折り線２８ｂから山折りし、第１差込片３１ａを第４側板１４の内側に、第２差込片３１ｂを第１側板１１の内側にそれぞれ差し込むと、図４に示すように、箱主体１０の開口が第１及び第２蓋板片２９ａ，２９ｂによって閉塞され、突片２９ａ’，２９ｂ’が互いに第１及び第２蓋板片２９ａ，２９ｂと重なる。
従って、このように構成された包装用紙箱は、例えば焼酎、清酒等の瓶１本ずつ包装する包装箱として適しており、組立て、折り畳みがワンタッチで行え、繰り返し使用することが可能である。
図５〜図８は第２の実施形態を示し、第１の実施形態と同一構成部分は同一番号を付して説明を省略する。本実施形態の箱本体１０の底部１８は第１の実施形態と同一構造であり、箱本体１０に手提げ部を設けて携帯に便利な構成としたものである。
図５に示すように、箱主体１０の蓋部１９側における第２側板１２及び第５側板１５には人差し指から小指までの４本の手指を揃えた状態で挿入可能な長方形の手掛け孔３２ａ，３２ｂが穿設されており、手掛け孔３２ａ，３２ｂは両端部が隣の側板まで延長している。
【００２７】
また、第４〜第６側板１４〜１６の上端部には二重山折り線３３を介して第４〜第６側板１４〜１６の幅に相当する第１折込片３４が連設されている。この第１折込片３４の先端部には手掛け孔３２ａ，３２ｂを貫通して折込可能な第２折込片３５が二重山折り線３５ａを介して連設されている。そして、手掛け孔３２ａ，３２ｂ及び第１折込片３４、第２折込片３５によって箱主体１０に手提げ部３６を形成している。なお、３７は第１〜第３側板１１〜１３及び第４〜第６側板１４〜１６の表面に形成した略Ｖ字状の折り目癖であり、手提げ部３６を形成したとき、箱主体１０の上部が扁平状に窄まるようになっている。
本実施形態によれば、第１の実施形態と同様に、六角筒形状の箱主体１０を扁平状に折り畳んだときは、手提げ部３６も図６に示すように折り畳まれるため、嵩張ることはない。また、包装用紙箱に内容物を入れ、携帯する場合には、図７及び図８に示すように箱主体１０に手提げ部３６を設けることができる。
すなわち、箱主体１０の上端部における第１〜第３側板１１〜１３と第４〜第６側板１４〜１６とを重ねると、手掛け孔３２ａと３２ｂとが対向する。次に、二重山折り線３３から第１折込片３４を山折りし、さらに第１折込片３４の先端部の第２折込片３５を二重山折り線３５ａから山折りする。そして、第２折込片３５を手掛け孔３２ａ，３２ｂに挿入して第２折込片３５を手掛け孔３２ａ，３２ｂの上端部を包むように折り込むと、箱主体１０に手提げ部３６ができる。手提げ部３６は、手掛け孔３２ａ，３２ｂの上端部を第２折込片３５が包んだ状態となってエッジ部分が手指に当たらないため、包装用紙箱の内容物が重量物であっても容易に携帯できる。
図９及び図１０は第３の実施形態を示し、第１の実施形態と同一構成部分は同一番号を付して説明を省略する。本実施形態の包装用紙箱は、例えばケーキ等を収容する底の浅い箱本体１０を示し、底部１８は第１の実施形態と同一構造であり、箱本体１０に手提げ部を設けて携帯に便利な構成としたものである。
図９に示すように、箱主体１０の蓋部１９側には第１側板〜第６側板１１〜１６と山折り線４０ａ〜４０ｆを介して第１蓋部片〜第６蓋部片４１〜４６が連設されている。第1蓋部片４１と第４蓋部片４４は同一形状であり、第１側板１１及び第４側板１４より広幅になるように山折り線４０ａ，４０ｄから逆三角形状に拡幅した蓋板主体４１ａ，４４ａが設けられている。蓋板主体４１ａ，４４ａの先端部における片側には山折り線４０ａ、４０ｄに対して傾斜角θ３＝３０°の谷折り線４１ｂ，４４ｂを介して手掛け部４１ｃ，４４ｃが設けられている。一方の手掛け部４１ｃは切込み４１ｄが形成され、他方の手掛け部４４ｃは貫通孔４４ｄが形成されている。さらに、手掛け部４１ｃ，４４ｃの両端部には係合片４１ｅ，４４ｅが設けられている。
【００２８】
また、第２蓋部片４２と第５蓋部片４５も同一形状であり、山折り線４０ｂ、４０ｅを底辺とする背の低い台形状である。第３蓋部片４３と第６蓋部片４６も同一形状であり、山折り線４０ｃ、４０ｆを底辺とする背の高い台形状であり、中央部には係合片４１ｅ，４４ｅが挿入可能なスリット４３ａ，４６ａが設けられている。
【００２９】
本実施形態によれば、第１の実施形態と同様に、包装用紙箱に内容物を入れ、携帯する場合には、箱主体１０に手提げ部４７を設けることができる。すなわち、箱主体１０を六角筒形状に組立てた状態で、まず、第２蓋部片４２と第５蓋部片４５を箱主体１０の内側に山折りし、次に、第１蓋部片４１と第４蓋部片４４を箱主体１０の内側に山折りすると共に、谷折り線４１ｂ，４４ｂを谷折りして手掛け部４１ｃと４４ｃとを重ねる。そして、手掛け部４１ｃには切込み４１ｄによって形成される舌片４１ｆを蓋板主体４４ａの内側に重なるようにする。最後に、第３蓋部片４３と第６蓋部片４６を山折り線４０ｃ，４０ｆから山折りしてスリット４３ａ，４６ａを係合片４１ｅ，４４ｅに係合すると、箱主体１０に手提げ部４７が形成される。
本実施形態によれば、箱主体１０を構成する第１側板〜第６側板１１〜１６と一体の第１蓋部片〜第６蓋部片４１〜４６によって蓋部１９が形成され、この蓋部１９の中央部に手提げ部４７が設けられるため、包装用紙箱の内容物が重量物であっても容易に携帯できる。
また、本発明は、瓶やケーキ等を収納する包装用紙箱について説明したが、他の商品、部品を収納する包装用紙箱として利用でき、特にワンタッチで再組立て可能であり、通い箱としても有効である。
なお、この発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組合わせてもよい。
【図面の簡単な説明】
【００３０】
【図１】本発明の包装用紙箱の第１の実施形態を示す展開図。
【図２】同実施形態の組立て状態の斜視図。
【図３】同実施形態の底部を示し、（ａ）は組立て過程の斜視図、（ｂ）は組立て状態の外底部を示す平面図。
【図４】同実施形態の組立て状態の蓋部の平面図。
【図５】本発明の包装用紙箱の第２の実施形態を示す展開図。
【図６】同実施形態の折り畳み状態の側面図。
【図７】同実施形態の組立て状態の正面図。
【図８】同実施形態の組立て状態の側面図。
【図９】本発明の包装用紙箱の第３の実施形態を示す展開図。
【図１０】同実施形態の組立て状態の斜視図。
【図１１】従来の包装用紙箱の展開図。
【図１２】同じく組立て状態の底部を示し、（ａ）は内底部の平面図、（ｂ）は外底部の平面図。
【符号の説明】
【００３１】
１０…箱主体、１１〜１６…第１側板〜第６側板、１７ａ〜１７ｅ…山折り線、１８…底部、１９…蓋部、２０ａ〜２０ｆ…山折り線、２１〜２６…第１底部片〜第６底部片、２１ａ，２４ａ…底板主体、２１ｂ，２４ｂ…谷折り線、２１ｃ、２４ｃ…第１，第２糊付け片、２２ｃ，２５ｃ…第３，第４糊付け片
【図１】
0004778827.tif 000002
【図２】
0004778827.tif 000003
【図３】
0004778827.tif 000004
【図４】
0004778827.tif 000005
【図５】
0004778827.tif 000006
【図６】
0004778827.tif 000007
【図７】
0004778827.tif 000008
【図８】
0004778827.tif 000009
【図９】
0004778827.tif 000010
【図１０】
0004778827.tif 000011
【図１１】
0004778827.tif 000012
【図１２】
0004778827.tif 000013